(57)【特許請求の範囲】
【請求項１】
帯状体２の一端に筒状の雌部４を略Ｔ字形に接続し、他端に前記雌部４に嵌入・係合する雄部３を形成した合成樹脂製の封緘具において、
前記雄部３は、先端部に略断面三角形の２個の爪３ａを列設し、その先端に縮小部を形成すると共に後端部に略断面三角形状ストッパー部３ｂを形成し、
前記雌部４は、第１内壁４ｄと、この第１内壁４より幅の広い第２内壁４ｅとが一連に開口され、前記第１内壁４ｄに第２内壁４ｅに向かって延長する２個の片持状の係止片４ｂを対向して設けると共に、前記第２内壁４ｅの端部の開口部の中央を横断して桟部材４ｃを架渡し、
前記雄部３と帯状体２との接続部分に該帯状体２より薄く、ねじれ力に弱い弱め部５を形成し、更に前記帯状体２は、記号２ｄ等を表示可能な幅を有しており、
前記雄部３を雌部４に挿入した状態において該雄部３の先端の縮小部を前記桟部材４ｃの背面に当接可能に形成すると共に、先端側の爪によって前記第２内壁４ｅ側の開口部より異物の挿入を防止するように形成されていることを特徴とする合成樹脂製表示部付き封緘具。
【請求項２】
前記雄部３と帯状体２の連結部に形成された弱め部５に弱め孔が形成されており、
前記雄部３のストッパー部５の形成された面の裏面に突起３ｄが形成されていることを特徴とする請求項１に記載の合成樹脂製表示部付き封緘具。
【請求項３】
前記雄部３の略中央に荷札等の紐を挿通する孔３ｃが形成されていることを特徴とする請求項１に記載の合成樹脂製表示部付き封緘具。
【発明の詳細な説明】
【０００１】
【発明の属する技術分野】
本発明は、コンテナや倉庫等の扉や各種容器の封緘に使用する封緘ベルトであって、詳しくは容易に低コストで製造でき、コンテナ等の扉等にワンタッチで簡単に取り付けられ、一旦取り付けると確実に封緘され、更に封緘ミスや不正行為等の発生を確実に防止できる封緘ベルトを提供するものである。
【０００２】
【従来の技術】
大量に製品や荷物等を取り扱う工場や量販店の配送センター、トラック運送、貨物運送、エアーカーゴ、郵便等では、製品や荷物等を仕分けし、グルーピングし、これをコンテナや容器等に詰めた上、製品や荷物の盗難・荷抜き・紛失等を防止するため、コンテナや容器等を封緘することが行われている。
【０００３】
これに使用される封緘具として、最近は操作性と封緘機能がすぐれている点から帯状の合成樹脂製封緘具があるが、その典型的なものとしては意匠登録第９１５４７６号公報に記載された封緘ベルトがある。
【０００４】
この封緘ベルトは、基本的には、所定の幅と長さを持つ薄肉の帯状体と、この帯状体の一端に形成された雄部と、この雄部が挿入、嵌合する帯状体の他端に形成された雌部とから構成される。前記雄部にはやじり部が形成され、このやじり部は後方に拡開し前方に窄まった八の字状の一対のやじり片を有し、この一対のやじり片は押圧によって相互の間隔を閉じ、押圧の解除に応じて瞬間的に拡開するように弾性力を与えられている。そして、雌部には挿入孔が開けられ、この孔の内壁には前記やじり部が係合する係止部が突出して設けられている。
【０００５】
このように構成された封緘ベルトにおいて、帯状体を環状に丸めた状態にして、雄部を雌部に開けた孔に挿入すると、雄部の一対のやじり片が相互の間隔を狭めて孔内の係止部を通過し、係止部を乗り越えた途端弾性力で拡開して係止部に係合し雄部は雌部に引き抜き不可能に固定されるので、封緘具として機能するのである。
【０００６】
この封緘を開封するには、帯状体を切断する必要があるが、このため雄部の近傍の帯状体に丸孔を開けて帯状体の強度を弱めており、この部分で帯状体をねじ切れるように構成している。
【０００７】
従来の封緘ベルトは以上のように簡単な構造からなり、合成樹脂の射出成形で容易に大量生産可能で廉価に提供することができると共に、ワンタッチで確実に封緘でき、かつ簡単に開封することができ、極めて有効な封緘具として広く使用されている。
【０００８】
しかし、この封緘ベルトは雄部のやじり部に問題があり、そのため不正行為が起こる可能性があることが判明した。すなわち、ペンチ等によってやじり部を強圧して押しつぶすと、やじり部は弾力性を失って復元せず閉じた状態のままになってしまうことがある。このような細工を加えた雄部を雌部に挿入しても、係止部に係合することがなく封緘機能を果たさないので、雄部を雌部から簡単に引き抜くことができるが、そのことは挿入状態において外見上は見分けることができない。そして、完全に封緘されているように見えてしまうから、封緘チェックに引っ掛からずパスしてしてしまうのである。その後、非封緘状態のコンテナ等は輸送の途中や保管中に荷抜きされた上、封緘を装った状態に戻されるという事故が発生する。
【０００９】
【発明が解決しようとする課題】
そこで、本発明の出願人は、上記のような不正な細工ができない封緘ベルトを研究開発してきた。図４および図５に示す封緘ベルトは、その過程における試作品であり一般には販売されていない。
【００１０】
この封緘ベルト１０は、薄肉の帯状体２０と、この帯状体２０の一端に形成された雄部３０と、帯状体２０の他端に形成された、前記雄部３０が挿入、嵌合する雌部４０とから構成される。
【００１１】
これが前記従来の封緘ベルトと異なる点は、この雄部３０の先端部が側面視ないし縦断面で略３角のやじり形をなして弾力性を持たないように硬く構成されている一方、雌部４０に貫通して設けた挿入孔４０ａの内壁に突出した係止部４０ｂが、図５の矢印方向に伸長した八の字状の一対の係止片で構成されて弾力性が与えられ、押圧の負荷とその解除によって開閉する（２つの係止片の間隔が拡大縮小する）ようになっていることである。
【００１２】
このように構成された封緘ベルト１０において、帯状体２０を環状に丸めた状態で、雄部３０を雌部４０の孔４０ａに図５の矢印方向から挿入すると、雄部３０の先端部が２枚の係止片の間隔を押し広げて係止部４０ｂを通過し、係止部４０ｂを乗り越えた途端係止片が弾性力で閉じ、雄部３０の先端部は係止部４０ｂに噛み合って引き抜き不可能に固定されるので、封緘具として機能するものである。
【００１３】
また、雄部３０の後部にはストッパー部５０が突出して形成されており、これが孔４０ａの入口の周囲に当接して、それ以上雄部３０が雌部４０の孔４０ａに入り込まないように歯止めをかける機能をを果たしている。
【００１４】
また、開封時の便宜のため、帯状体２０の雄部３０の近傍部分に丸孔６０を開けて帯状体２０の強度を弱めており、この部分で帯状体２０をねじ切れるように構成されている。
【００１５】
この封緘ベルト１０の雄部３０は、前記した３角の断面形状を持ち、かつ高い硬度を有するので、ペンチ等で強圧して押しつぶし変形することは不可能である。また雌部４０の係止部４０ｂも孔４０ａの奥にあるので、ペンチ等を差し込んでは強圧して押しつぶし変形することは不可能であるので、その点では前記登録意匠に係る封緘ベルトよりも優れている。
【００１６】
しかし、この封緘ベルト１０においては、雌部４０に貫通した孔４０ａの雄部３０挿入口の反対側にある開口部に問題があり、そのため新しい不正行為が起こる可能性があることが判明した。
【００１７】
すなわち、この開口部側から孔４０ａにＬ字型に曲げた針金を挿入し、雌部４０の係止部４０ｂに係合している雄部３０の先端部を越えて、係止部４０ｂの係止片の１つにアクセスしてこれを引っかけて拡開すると共に、もう１つの係止片も別の針金で同じ要領で拡開することによって、雄部３０の先端部を係止部４０ｂから外し、雄部３０を図５の矢印の反対方向に抜き取ってしまうことが可能なのである。
【００１８】
また、封緘時にうっかりと又は故意に、矢印の反対側の開口部から雌部４０の孔４０ａに雄部３０を挿入すると、雄部３０の先端部が、係止部４０ｂの一対の係止片の矢印方向を向いた端部の間に割り込み、係止片の間を拡開しながら進入するが、この方向からでは雄部３０は係止部４０ｂに噛み合うことなく封緘機能を果たさないので、雄部３０を雌部４０から矢印方向に簡単に引き抜くことができるが、そのことは外見上からは見分けがつきにくく、一見まるで完全な封緘状態であるように見えてしまうので問題である。
【００１９】
なお、この封緘ベルト１０においては、射出成形時に雌部４０の係止部４０ｂの背後（右方向）に空間を形成するように成形するため、右方向に抜き取る金型部材を使用する必要があるので、挿入口の反対側に開口部を形成しておく必要があり閉じることはできない。従って、この開口部から針金等を挿入して封緘破りをしたり、この開口部にうっかりと又は故意に雄部３０を挿入したりすることを防止できない。
【００２０】
よって、本発明は、簡単な構造からなって合成樹脂の射出成形で容易に大量生産可能で廉価に提供することができる封緘ベルトであって、上記のような封緘ミスや不正行為等の不都合の発生を確実に防止でき、またワンタッチで確実に封緘できると共に、簡単に開封できる封緘ベルトを提供することを意図するものである。
【００２１】
【課題を解決するための手段】
上記のごとき問題点を解決するため、本発明の合成樹脂製表示部付き封緘具は、帯状体２の一端に筒状の雌部４を略Ｔ字形に接続し、他端に前記雌部４に嵌入・係合する雄部３を形成した合成樹脂製の封緘具において、前記雄部３は、先端部に略断面三角形の２個の爪３ａを列設し、その先端に縮小部を形成すると共に後端部に略断面三角形状ストッパー部３ｂを形成し、前記雌部４は、第１内壁４ｄと、この第１内壁４より幅の広い第２内壁４ｅとが一連に開口され、前記第１内壁４ｄに第２内壁４ｅに向かって延長する２個の片持状の係止片４ｂを対向して設けると共に、前記第２内壁４ｅの端部の開口部の中央を横断して桟部材４ｃを架渡し、前記雄部３と帯状体２との接続部分に該帯状体２より薄く、ねじれ力に弱い弱め部５を形成し、更に前記帯状体２は、記号２ｄ等を表示可能な幅を有しており、前記雄部３を雌部４に挿入した状態において該雄部３の先端の縮小部を前記桟部材４ｃの背面に当接可能に形成すると共に、先端側の爪によって前記第２内壁４ｅ側の開口部より異物の挿入を防止するように形成されている。
【００２２】
また、前記雄部３と帯状体２の連結部に形成された弱め部５に弱め孔が形成されており、前記雄部３のストッパー部５の形成された面の裏面に突起３ｄが形成されている。
更に、前記雄部３の略中央に荷札等の紐を挿通する孔３ｃが形成されている。
【００２３】
【発明の実施の形態】
次に図面を参照して本発明の合成樹脂製封緘ベルトの第１の実施の形態を説明する。図１は本発明の封緘ベルト１の平面図、図２は同側断面図、図３は同底面図である。
【００２４】
この封緘ベルト１は、ナイロン、ポリエステルまたはポリプロピレン等の合成樹脂からなる射出成形品であって、所定の長さと幅を有する薄肉の帯状体２と、この帯状体２の一端に形成された雄部３と、帯状体２の他端に形成された前記雄部３が挿入、嵌合される雌部３とから構成される。
【００２５】
この雄部３の先端部には、上下に突出した爪３ａが前後に連続して形成されており、側面視ないし縦断面視で略３角形状が２つ連続しているように見える。また、この雄部３の先端部は平面視ないし底面視では、あたかも洗濯板の一端を見るように、表裏とも２つのラチェットが連続するように見える。
【００２６】
この実施の形態では、上下に突出した爪３ａを２列連続しているが、他の実施の態様として、１列のみ形成するもの、または３列以上連続させるものも可能である。
【００２７】
一方、雌部４は、帯状体２の長手方向に対し直交する軸線を持つ、やや偏平な４角形の筒状に形成されると共に、雌部４を帯状体２に連結する位置を雌部４の中央部から雄部挿入側の反対側端部に偏らせ、この連結位置と雄部挿入側端部の間の長さをより大きく形成して、雌部４の雄部挿入口側（図２の矢印で示す）が一見して判るように構成している。
【００２８】
この雌部４の中央に貫通した孔４ａは、雄部挿入口側を狭くして狭幅の第１内壁４ｄを形成して雄部４の案内通路となり、その孔４ａの奥は広くして第１内壁４ｄより広幅の第２内壁４ｅを形成している。そして、第１内壁４ｄの端部から一対の係止片４ｂを図２の矢印方向（孔４ａの奥方向）に片持ち状に突出させ、更に雄部挿入口側の反対側の開口部に桟部材４ｃを横断的に形成している。
【００２９】
前記一対の係止片４ｂはその根本から先端にかけて、漸次その相互の間隔が狭まるように形成されているが、係止片４ｂと第２内壁４ｅの間には一定の間隙が形成され、それが係止片４ｂの動きを許容するようになっている。従って、雌部４の孔４ａに挿入された雄部３の先端の爪３ａが係止片４ｂに当接することによって、２つの係止片４ｂは押圧され相互の間隔を弾性的に拡開することができるのである。
【００３０】
このように構成された封緘ベルト１において、帯状体２を環状に丸めた状態で、雄部３を雌部４の孔側４ａに図２の矢印方向から挿入すると、雄部３の先端部の爪３ａが２つの係止片４ｂの間を拡開しつつ通過し、爪３ａが係止片４ｂを乗り越えた途端に、係止片４ｂが弾性力で閉じる。そして爪３ａの後部が係止片４ｂの先端部に引き戻し不能に当接して、雄部３は雌部４の孔４ａ内で引き抜き不可能になるのである。
【００３１】
この雌部４を成形する金型について簡単に説明すると、金型は、封緘ベルト１の全体を成形する金型と、雄部３の案内通路である第１内壁４ｄを成形する第１の金型部材と、第２内壁４ｅを成形する第２の金型部材とで構成されている。
【００３２】
そして第１内壁４ｄを成形する第１の金型部材で、２つの係止片４ｂの相互の対向面を成形すると共に、２つの係止片４ｂの先端部の間隔と桟部材４ｃの幅をほぼ等しくして、桟部材４ｃの孔４ａ側の面を第１の金型部材で成形する。
【００３３】
更に、第２内壁４ｅを成形する第２の金型部材で、桟部材４ｃの外側面及び上下両面と、係止片４ｂの先端部及び両背面を成形する。従って、孔４ａ内には第１の金型部材の先端部と、この先端部を挟むように配置される第２の金型部材とが、三重構造に配置されて雌部４の内部構造を成形するようになっている。
【００３４】
そして、成形後は、第１の金型部材は孔４ａの挿入口から、第２の金型部材は挿入口の反対側開口部から、それぞれ抜き取ることになる。
【００３５】
一方、雄部３の後部には側面視ないし縦断面で３角形のストッパー部３ｂが突出して形成されており、このストッパー部３ｂが雌部４の孔４ａの挿入口の周囲の外壁に当接して、雄部３がそれ以上孔４ａに挿入されないように歯止めをかける機能を果している。
【００３６】
また同時に、桟部材４ｃを挿入口の反対側開口部に横断するように設けてあり、この桟部材４ｃに雄部３の先端部が突き当たるようにすれば、上記歯止め機能は桟部材４ｃによっても行われることになる。
【００３７】
以上のように、雄部３は一旦雌部４の孔４ａに挿入して、対向する２つの係止片４ｂに上下面から係合されると、孔４ａの中間で挟持され、引き抜くことも、逆に突き出すことも不可能になり、封緘ベルト１は封緘具として機能するのである。
【００３８】
また、雄部３の先端部の爪３ａは略３角断面の形状であり、かつ高い硬度を持つので、ペンチ等で強圧して変形することは困難であり、また雌部４の孔４ａ内の係止片４ｂも狭い孔４ａの奥に位置する上に、前記の桟部材４ｃが邪魔するから、ペンチ等を挿入して係止片４ｂを強圧して変形し弾力性を奪うことも不可能である。
【００３９】
この桟部材４ｃは、前述した図４及び図５で示した封緘ベルトと大きく異なる特徴であるが、雌部４の孔４ａの雄部３挿入口の反対側の開口部の中央部を横切るように、細幅に設けられている。
【００４０】
この桟部材４ｃを設けることによって、この開口部はその中央部を閉ざされ２つの上下のスリットに分割されて面積を縮小する。このスリットは、封緘ベルト１を射出成形する際、前記の第２金型部材を抜き取るために必要最小限の大きさに設定すると良い。
【００４１】
この桟部材４ｃの存在によって、前述した如くＬ字型に曲げた針金を上記開口部から挿入し、孔４ａ内の係止片４ｂに係合している雄部３の爪３ａを越えて、その背後に位置する係止片４ｂにアクセスしてこれを細工し、爪３ａと係止片４ｂの係合を外そうとすることが、困難になるのである。
【００４２】
また、雄部３の爪３ａは、雄部３の先端部に上下に突出して形成されているので、前記開口部の上下のスリットから覗いた場合、係止片４ｂを覆って隠すように機能し一層針金等によるアクセスと細工が困難になるのである。更に、この爪３ａを雄部３の先端部に前後に２列以上形成すると、そのようなアクセスと細工の防止効果は一層完璧なものになることは明らかであろう。
【００４３】
なお、上記桟部材４ｃを設けることによって、雄部３挿入口の反対側の開口部から、うっかりと又は故意に、雄部３を挿入することを完全に防止できるという効果も得られるのである。
【００４４】
次に、前記したように、雄部３の後部にはストッパー部３ｂが突出して形成されているが、このストッパー部３ｂは雄部３を雌部４の孔４ａに挿入、係止したとき、図２の矢印で示す挿入口を蓋のように閉ざす機能を持つから、この挿入口から針金等を挿入して係止片４ｂにアクセスし細工することを防止する効果がある。この実施の形態において、ストッパー部３ｂを封緘ベルト１の片側、すなわち底面側に設けているのは、雄部３を雌部４に嵌合させた場合、帯状体２が形成した輪の外側に位置するようになる、雌部４の孔４ａの挿入口の端部側をストッパー部３ｂが覆い、そこから孔４ａ内に針金等が挿入されるようなことを防止するためである。
【００４５】
しかし、更に封緘ベルト１の平面側にも、もう１つ別のストッパー部を設けると、帯状体２が形成した輪の内側に位置するようになる挿入口の端部側もこのストッパー部で覆うことになるので、針金等による細工に対する防止効果は一層完璧なものになるであろう。
【００４６】
なお、この実施の形態においては、ストッパー部３ｂの反対側の雄部３の平面に突起３ｄを形成しているが、これは雄部３を雌部４に挿入する際、突起３ｄが孔４ａの第１内壁に当接してストッパー部３ｂを押し上げ、小さなストッパー部３ｂであっても孔４ａの挿入口の縁に確実にあたり、覆うようにするのが目的である。
【００４７】
また、本実施の形態においては、雄部３の先端部の爪３ａが上下に突出して形成されると共に、これに対応、係合する雌部４の孔４ａの係止片４ｂも上下に２つ設けているが、場合によっては、雄部３の先端部の爪３ａを上下の一方に１つ突出して形成すると共に、これに対応、係合する雌部４の孔４ａの係止片４ｂも上下の一方にのみ形成することも可能であり、それによって係止効果そのものではあまり変わりがないであろう。
【００４８】
しかし、本実施の形態のように爪３ａを上下の両方に設けると共に、それに対応する係止片４ｂも上下両方に設けた方が、雄部３が雌部４の孔４ａの中央位置にしっかりと両側から安定的に支持され、かつ針金等の挿入による細工も手間がかかってやりにくいという効果が得られる点でベターある。また係止片４ｂの先端部を大形に形成すると、雄部３の先端部に対する強い保持力が得られる。
【００４９】
更にこの他、細部にわたって説明すると、雄部の中央寄りに小孔３ｃを設けているが、これは荷札等の紐を通すためのものである。
【００５０】
次に、帯状体２には、雄部３寄りの上下両面に複数の突起によって滑り止め部２ａを形成する。この滑り止め部２ａはコンテナ等を封緘する際作業者の指が滑らず作業が確実に行われるように設けたものである。
【００５１】
また、帯状体２と雄部３の間に、幅を狭めて肉薄にした弱め部５を形成し、更にこの弱め部５には弱め孔５ａを開口するようにしたので、コンテナ等を封緘した封緘ベルト１を開封するとき、この弱め部５の部分を捩じると容易にねじ切ることができ、簡単に開封できる。
【００５２】
また、帯上体２の雌部４寄りの部分（平面）上に雌部４の孔４ａの挿入口を指し示す矢印２ｂを表示して、封緘作業を容易ならしめるようにしている。また、帯上体２の背面上にコンテナ等の取扱い企業の社名２ｃやコンテナ等の識別のためのコード番号２ｄ等を表示するようにしている。上記の矢印２ｂや取扱い企業の社名２ｃは、封緘ベルト１を射出成形する際、同時に金型入れ子を用いて帯状体２上に成形するのが良い。コード番号２ｄ等の方は射出成形後にホットスタンピングマシン等でマーキングするのも良いが、印刷も可能である。またコード番号２ｄの代わりに、バーコード等を表示するのも良い。
【００５３】
【発明の効果】
本発明に係る合成樹脂製封緘ベルトは、帯状体と、この帯状体の一端に形成された雄部と、この雄部が挿入される、帯状体の他端に形成された雌部とからなる封緘ベルトであって、前記雄部は先端部に上下に突出した爪を有し、前記雌部は前記雄部が挿入される孔が貫通され、この孔の内壁に雄部の両側が挟持係合される係止片が設けられ、前記孔の雄部挿入口の反対側の開口部に桟部材を設けて構造されている。
【００５４】
従って、この封緘ベルトは、容易に低コストで製造でき、かつコンテナ等の扉等にワンタッチで簡便に取り付けられ、一旦取り付けると確実に封緘できる。
【００５５】
更に、封緘時の雄部の雌部への挿入ミスや封緘破り等の不正行為の発生を確実に防止できる。
【図面の簡単な説明】
【図１】本発明の合成樹脂製封緘ベルトの平面図である。
【図２】本発明の合成樹脂製封緘ベルトの側面図で、図１のII−II線矢視断面図でもある。
【図３】本発明の合成樹脂製封緘ベルトの底面図である。
【図４】試作品の合成樹脂製封緘ベルトの平面図である。
【図５】試作品の合成樹脂製封緘ベルトの側面図で、図４のＶ−Ｖ線矢視断面図でもある。
【符号の説明】
１  合成樹脂製封緘ベルト
２  帯状体
３  雄部
３ａ  爪
４  雌部
４ａ  孔
４ｂ  係止片
４ｃ  桟部材
４ｄ  第１内壁
４ｅ  第２内壁
５  弱め部
【図１】
0003987913.tif 000002
【図２】
0003987913.tif 000003
【図３】
0003987913.tif 000004
【図４】
0003987913.tif 000005
【図５】
0003987913.tif 000006